(57)【要約】【課題】部品点数の削減を図ることができると共に、ケースと蓋部材との接合作業を容易に行うことができるノイズフィルタを実現する。【解決手段】開口部を有するケース11内にフィルタ回路を構成する電子部品（コモンモードチョークコイル28，第１のＸコンデンサC1，第２のＸコンデンサC2，第１のＹコンデンサC3，第２のＹコンデンサC4，抵抗器Ｒ）を収納すると共に、上記ケース11の開口部を蓋部材38で閉塞して成るノイズフィルタ10であって、上記ケース11の壁部11ｃ，11ｄに切込を入れてケース11内方側に突出させて係合片23を形成すると共に、上記蓋部材38に上記係合片23と対応する係合部42を形成し、上記ケース11の係合片23と上記蓋部材38の係合部42との係合により、ケース11と蓋部材38とが接合されている。【選択図】図１９
0003125262.tif 000002
【実用新案登録請求の範囲】
【請求項１】
開口部を有するケース内にフィルタ回路を構成する電子部品を収納すると共に、上記ケースの開口部を蓋部材で閉塞して成るノイズフィルタであって、上記ケースの壁部に切込を入れてケース内方側に突出させて係合片を形成すると共に、上記蓋部材に上記係合片と対応する係合部を形成し、上記ケースの係合片と上記蓋部材の係合部との係合により、ケースと蓋部材とが接合されていることを特徴とするノイズフィルタ。
【請求項２】
上記ケースと蓋部材とが金属材料で構成されており、スポットハンダ付けにより、上記ケースと蓋部材とがハンダを介して接合されていることを特徴とする請求項１に記載のノイズフィルタ。
【考案の詳細な説明】
【技術分野】
【０００１】
この考案はノイズフィルタに係り、特に、ケース内にフィルタ回路を構成するコイルやコンデンサ等の電子部品を収納して成るノイズフィルタに関する。
【背景技術】
【０００２】
従来、電源ライン或いは通信ライン等の外部ラインを経由して電子機器内に侵入する各種のノイズによって、電子機器が誤動作することを防止するため、種々のノイズフィルタが案出されている。
図２２乃至図３０は、従来のノイズフィルタを示すものであり、このノイズフィルタ70は、一端が開口した箱型の導電性ケース71内に、フィルタ回路を構成する各種電子部品を収納して成る。
【０００３】
ケース71の第１の側壁部71ａには、インレットソケット72が２本のネジ73を介して接続されており、該インレットソケット72内には、一対の入力端子（第１の入力端子74ａ，第２の入力端子74ｂ）と第１のアース端子75が設けられている。
上記インレットソケット72は、樹脂より成る有底角筒状の本体部76と、該本体部76の外方へ張り出す鍔部77と、上記ケース71外に突出する外方突出部78を有しており、本体部76及び鍔部77をケース71内に挿入した状態で、鍔部77をネジ73で第１の側壁部71ａに接続固定するようになっている。
上記一対の入力端子74ａ，74ｂと第１のアース端子75は、所定の間隔を設けて、その先端側が本体部76内に突出配置されていると共に、後端側は、本体部76を貫通してケース71内に突出配置されている。
【０００４】
また、ケース71の第１の側壁部71ａと対向する第２の側壁部71ｂには、ファストン端子で構成された一対の出力端子（第１の出力端子79ａ，第２の出力端子79ｂ）と第２のアース端子80が、それぞれ所定の間隔を設けて接続固定されている。
上記出力端子79ａ，79ｂ及び第２のアース端子80の基端部は、第２の側壁部71ｂを貫通してケース71内に配置されている。
尚、第１の出力端子79ａ，第２の出力端子79ｂは、第２の側壁部71ｂを貫通する絶縁性の端子保持部材99に貫設されているため、上記絶縁性の端子保持部材99を介してケース71と電気的に絶縁されている。一方、第２のアース端子80は、ケース71の第２の側壁部71ｂと直接接続することにより、ケース71と電気的接続が実現されている。
【０００５】
ケース71内に収納されるフィルタ回路を構成する電子部品としては、１個のコモンモードチョークコイル81、２個のＸコンデンサ（第１のＸコンデンサC1、第２のＸコンデンサC2）、２個のＹコンデンサ（第１のＹコンデンサC3、第２のＹコンデンサC4）、及び１個の抵抗器Ｒが該当する。
上記コモンモードチョークコイル81は、フェライト等の磁性材料より成るリング状のコア（図示せず）を、樹脂等の絶縁材料より成り、中央に貫通孔82を有するリング状のコアキャップ83で被覆すると共に、該コアキャップ83の外周面に、一対の導電性線材としての銅線（第１の銅線84，第２の銅線85）を絶縁状態で巻回して成る。
【０００６】
上記ケース71の底壁部86上には、樹脂等より成る絶縁シート87が載置されており、該絶縁シート87上に、上記コモンモードチョークコイル81が載置されている。
上記コモンモードチョークコイル81の第１の銅線84は、第１の入力端子74ａと第１の出力端子79ａ間に接続されると共に、第２の銅線85は、第２の入力端子74ｂと第２の出力端子79ｂａ間に接続される。
また、抵抗器Ｒと第１のＸコンデンサC1は、それぞれ第１の入力端子74ａと第２の入力端子74ｂ間に接続される。また、第２のＸコンデンサC2は、第１の出力端子79ａと第２の出力端子79ｂ間に接続される。
さらに、第１のＹコンデンサC3は、一方のリード線を第１の出力端子79ａと接続すると共に、他方のリード線を、第２のアース端子80と電気的に接続されている導電性ケース71の第３の側壁部71ｃに接続しており、この結果、第１のＹコンデンサC3は、第１の出力端子79ａと第２のアース端子80間に接続される。また、第２のＹコンデンサC4は、一方のリード線を第２の出力端子79ｂと接続すると共に、他方のリード線を、第２のアース端子80と電気的に接続されている導電性ケース71の第４の側壁部71ｄに接続しており、この結果、第２のＹコンデンサC4は、第２の出力端子79ｂと第２のアース端子80間に接続される。
【０００７】
尚、第３の側壁部71ｃには、後述する蓋部材との接合を行うためのリベット用の孔部88が１個形成され、該第３の側壁部71ｃと対向する第４の側壁部71ｄには、リベット用の孔部88が２個形成されている。
【０００８】
また、図２７に示すように、第１のアース端子75と導電性ケース71の底壁部86とをリード線89を介して接続することにより、ＧＮＤ経路が形成されている。この場合、リード線89の一端と第１のアース端子75とをハンダ98接続すると共に、リード線89の他端と導電性ケース71の底壁部86とをハンダ98接続する。
【０００９】
図２８乃至図３０に示すように、上記ケース71の開口部は、導電性の蓋部材90によって閉塞される。該蓋部材90は、略長方形状の平板部91と、該平板部91の四辺から垂直方向に延設された側板部92ａ，92ｂ，93ａ，93ｂを備えている。側板部93ａには、上記第３の側壁部71ｃのリベット用の孔部88と対応する孔部94が１個形成され、側板部93ｂには、上記第４の側壁部71ｄのリベット用の孔部88と対応する孔部94が２個形成されている。
ケース71と蓋部材90との接合は、ケース71側の孔部88と蓋部材90側の孔部94とを位置合わせした状態でリベット（図示せず）を介して行われる。      
【考案の開示】
【考案が解決しようとする課題】
【００１０】
従来のノイズフィルタ70にあっては、上記の通り、ケース71と蓋部材90との接合は、ケース71側に形成した３個の孔部88と、蓋部材90側に形成した３個の孔部94とを位置合わせした状態で、リベットを用いて行っていたことから部品点数が多くなり、また、複数回（３回）のリベット固定作業が必要であることから、手間がかかっていた。
【００１１】
本考案は、従来の上記問題点に鑑みて案出されたものであり、その目的とするところは、部品点数の削減を図ることができると共に、ケースと蓋部材との接合作業を容易に行うことができるノイズフィルタを実現することにある。
【課題を解決するための手段】
【００１２】
上記の目的を達成するために、本考案は、開口部を有するケース内にフィルタ回路を構成する電子部品を収納すると共に、上記ケースの開口部を蓋部材で閉塞して成るノイズフィルタであって、上記ケースの壁部に切込を入れてケース内方側に突出させて係合片を形成すると共に、上記蓋部材に上記係合片と対応する係合部を形成し、上記ケースの係合片と上記蓋部材の係合部との係合により、ケースと蓋部材とが接合されていることを特徴とする。
上記ケースと蓋部材とを金属材料で構成し、スポットハンダ付けにより、上記ケースと蓋部材とがハンダを介して接合されることが好ましい。
【考案の効果】
【００１３】
本考案のノイズフィルタにあっては、ケース壁部に切込を入れてケース内方側に突出させて係合片を形成すると共に、上記蓋部材に上記係合片と対応する係合部を形成し、上記ケースの係合片と上記蓋部材の係合部とを係合させることにより、ケースと蓋部材との接合を行うので、従来のノイズフィルタ70におけるリベットが不要であり、部品点数の削減を図ることができる。
また、ケースに形成された係合片と、蓋部材に形成された係合部とを係合させるだけでケースと蓋部材との接合が可能であり、従来のノイズフィルタ70の如くリベット固定作業が不要であるため、ケースと蓋部材との接合作業が容易である。
尚、スポットハンダ付けにより、上記ケースと蓋部材とをハンダを介して接合すれば、
ケースと蓋部材との接合をより確実にするができると共に、電気的特性の改善効果も得られる。
すなわち、従来のノイズフィルタ70の如く、リベットを介してケース71と蓋部材90の接合を行った場合には、ケース71と蓋部材90とが単に接触しているだけであるため、接触抵抗が大きいが、本考案のように、ケースと蓋部材とをハンダを介して接合した場合には、接合される金属部材（ケース、蓋部材）とハンダとが接合面で合金を形成し、電気抵抗が非常に小さくなる。
【考案を実施するための最良の形態】
【００１４】
以下において、本考案に係るノイズフィルタを図１乃至図２１に基づいて説明する。
本考案に係るノイズフィルタ10は、一端が開口した箱型の金属材料より成る導電性ケース11内に、フィルタ回路を構成する各種電子部品を収納すると共に、上記ケース11の開口部を、後述する蓋部材で閉塞して構成される。
【００１５】
図２に示すように、ケース11の第１の側壁部11ａには、インレットソケット12が２本のネジ13を介して接続されており、該インレットソケット12内には、一対の入力端子（第１の入力端子14ａ，第２の入力端子14ｂ）と第１のアース端子15が設けられている。
上記インレットソケット12は、樹脂より成る絶縁性の有底角筒状の本体部16と、該本体部16の外方へ張り出す絶縁性の鍔部17と、上記ケース11外に突出する絶縁性の外方突出部18を有しており、本体部16及び鍔部17をケース11内に挿入した状態で、鍔部17をネジ13で第１の側壁部11ａに接続固定するようになっている。
上記一対の入力端子14ａ，14ｂと第１のアース端子15は、所定の間隔を設けて、その先端側が本体部16内に突出配置されていると共に、後端側は、本体部16を貫通してケース11内に突出配置されている。
【００１６】
また、ケース11の第１の側壁部11ａと対向する第２の側壁部11ｂには、ファストン端子で構成された一対の出力端子（第１の出力端子19ａ，第２の出力端子19ｂ）と第２のアース端子20が、所定の間隔を設けて接続固定されている。
上記第１の出力端子19ａ，第２の出力端子19ｂ、第２のアース端子20は、図８乃至図１１に示すように、樹脂より成る絶縁端子板21に一体的に貫設されて成る。
図１２に示すように、第２の側壁部11ｂには、上記第１の出力端子19ａ，第２の出力端子19ｂ、第２のアース端子20に対応させた貫通孔22が３個形成されており、ケース11内方側から、第１の出力端子19ａ，第２の出力端子19ｂ、第２のアース端子20を上記貫通孔22からケース11外へ導出させた状態で、絶縁端子板21をケース11の第２の側壁部11ｂに接着固定するのである。この結果、上記出力端子19ａ，19ｂ及び第２のアース端子20の先端部が、ケース11外へ導出されると共に、基端部はケース11内に配置される。
尚、第１の出力端子19ａ及び第２の出力端子19ｂは、絶縁端子板21によってケース11と電気的に絶縁されているが、第２のアース端子20は、ケース11の第２の側壁部11ｂと直接接続することにより、ケース11と電気的接続が実現されている。
【００１７】
上記ケース11の第１の側壁部11ａ及び第２の側壁部11ｂと直交する第３の側壁部11ｃには、該第３の側壁部11ｃに略コ字状の切込を入れて、ケース11内方側に突出させて形成した係合片23が２個形成されている。
また、第３の側壁部11ｃと対向する第４の側壁部11ｄには、該第４の側壁部11ｄに略コ字状の切込を入れて、ケース11内方側に突出させて形成した係合片23が１個形成されている。
上記係合片23は、後述する蓋部材との係合を行うために設けられたものである。
【００１８】
図２、図１３及び図１４に示すように、ケース11の底壁部24には、該底壁部24の一部を切込んでケース11内方側に引き起こして形成した接続片25が設けられている。該接続片25は、先端に切欠26が形成されており、該切欠26内に、インレットソケット12の上記第１のアース端子15を挟持することにより、第１のアース端子15と接続片25とが直接接続され、インレットソケット12の第１のアース端子15と導電性ケース11の底壁部24間のＧＮＤ経路が形成されている。
尚、第１のアース端子15と接続片25とを確実に接続するため、接続片25の切欠26内に第１のアース端子15を挟持した状態で、第１のアース端子15と接続片25との接続箇所をハンダ付けするのが適当である。
【００１９】
また、ケース11の底壁部24には、該底壁部24の一部を切込んでケース11内方側に突出させて形成した略山形の係合突起27が２個形成されている。
該係合突起27は、インレットソケット12の鍔部17の下端部と係合して（図１４）、インレットソケット12のガタツキを防止するために形成されたものである。
【００２０】
ケース11内に収納されるフィルタ回路を構成する電子部品としては、１個のコモンモードチョークコイル28、２個のＸコンデンサ（第１のＸコンデンサC1、第２のＸコンデンサC2）、２個のＹコンデンサ（第１のＹコンデンサC3、第２のＹコンデンサC4）、及び１個の抵抗器Ｒが該当する。
図１５乃至図１７に示すように、樹脂等より成る絶縁基板29の表面29ａに、上記第１のＸコンデンサC1、第２のＸコンデンサC2、第１のＹコンデンサC3、第２のＹコンデンサC4が配置され、絶縁基板29の裏面29ｂに、上記コモンモードチョークコイル28及び抵抗器Ｒが配置されている。
上記コモンモードチョークコイル28は、フェライト等の磁性材料より成るリング状のコア30（図１７）を、樹脂等の絶縁材料より成り、中央に貫通孔31を有するリング状のコアキャップ32で被覆すると共に、該コアキャップ32の外周面に、一対の導電性線材としての銅線（第１の銅線33，第２の銅線34）を絶縁状態で巻回して成る。
【００２１】
上記絶縁基板29の裏面29ｂには、樹脂より成る一対の絶縁隔壁35が形成されている。この絶縁隔壁35は、図１６において、絶縁基板29の上端とコモンモードチョークコイル28の上端との間、絶縁基板29の下端とコモンモードチョークコイル28の下端との間に形成されており、コモンモードチョークコイル28の高さより、大なる高さを有している。また、その一端は、絶縁基板29を貫通して、絶縁基板29の表面29ａ側に突出している。
上記一対の絶縁隔壁35は、絶縁基板29を導電性ケース11内に収納した際に、コモンモードチョークコイル28と、導電性ケース11の第３の側壁部11ｃ、第４の側壁部11ｄとの間に介在配置されるものであり（図１７参照）、ノイズフィルタ10に外力等の衝撃が加わった場合に、コモンモードチョークコイル28が動いて、導電性ケース11の第３の側壁部11ｃ、第４の側壁部11ｄと接触して絶縁性が毀損されるのを防止する機能を果たすものである。
【００２２】
絶縁基板29の表面29ａに配置された第１のＸコンデンサC1、第２のＸコンデンサC2、第１のＹコンデンサC3、第２のＹコンデンサC4、絶縁基板29の裏面29ｂに配置されたコモンモードチョークコイル28及び抵抗器Ｒは、各部品のリード線、第１の銅線33、第２の銅線34と、絶縁基板29に形成された導体パターン36とハンダ37を介して所定の接続がなされている。
フィルタ回路を構成する電子部品が配設された上記絶縁基板29は、図１に示すように、コモンモードチョークコイル28及び抵抗器Ｒが配設された絶縁基板29の裏面29ｂを下向きにして導電性ケース11内に収納される。
そして、コモンモードチョークコイル28の第１の銅線33が、第１の入力端子14ａと第１の出力端子19ａ間に電気的に接続されると共に、第２の銅線34が、第２の入力端子14ｂと第２の出力端子19ｂ間に電気的に接続されるよう配線される。
また、抵抗器Ｒと第１のＸコンデンサC1が、それぞれ第１の入力端子14ａと第２の入力端子14ｂ間に電気的に接続されるよう配線される。また、第２のＸコンデンサC2は、第１の出力端子19ａと第２の出力端子19ｂ間に電気的に接続されるよう配線される。
さらに、第１のＹコンデンサC3は、一方のリード線が第１の出力端子19ａと電気的に接続するよう配線されると共に、他方のリード線を、第２のアース端子20と電気的に接続されている導電性ケース11の第４の側壁部11ｄに接続しており、この結果、第１のＹコンデンサC3は、第１の出力端子19ａと第２のアース端子20間に接続される。
また、第２のＹコンデンサC4は、一方のリード線が第２の出力端子19ｂと電気的に接続するよう配線されると共に、他方のリード線を、第２のアース端子20と電気的に接続されている導電性ケース11の第３の側壁部11ｃに接続しており、この結果、第１のＹコンデンサC3は、第２の出力端子19ｂと第２のアース端子20間に接続される。
以上の結果、図１８に示すフィルタ回路が実現されるのである。
【００２３】
尚、絶縁基板29を導電性ケース11内に収納した際に、上記一対の絶縁隔壁35は、コモンモードチョークコイル28と、導電性ケース11の第３の隔壁部11ｃ、第４の隔壁部11ｄとの間に介在配置されることとなり（図１参照）、外力等の衝撃でコモンモードチョークコイル28が動いても、導電性ケース11の第３の隔壁部11ｃ、第４の隔壁部11ｄに、コモンモードチョークコイル28が接触して絶縁性が毀損されるのを防止することができる。
【００２４】
図１９乃至図２１に示すように、上記ケース11の開口部は、金属材料より成る導電性の蓋部材38によって閉塞される。該蓋部材38は、略長方形状の平板部39と、該平板部39の対向する二辺から垂直方向に延設された側板部40ａ，40ｂを備えている。
また、上記側板部40ａ，40ｂの形成された二辺と直交する平板部39の一辺からは、上記ケース11の第３の側壁部11ｃに形成された２個の係合片23と対応し、これら２個の係合片23と係合する孔41を備えた係合部42が、垂直方向に２個形成されている。さらに、２個の係合部42が形成された平板部39の一辺と対向する一辺からは、上記ケース11の第４の側壁部11ｄに形成された１個の係合片23と対応し、該係合片23と係合する孔41を備えた係合部42が、垂直方向に１個形成されている。
また、１個の係合部42が形成された平板部39の一辺と接する平板部39上には、凹部43が形成されている。
ケース11と蓋部材38との接合は、ケース11に形成された３個の係合片23を、蓋部材38に形成された３個の係合部42の孔41に係合させることにより行われる。さらに、ケース11と蓋部材38との接合をより確実にするため、平板部39の上記凹部43形成箇所でスポットハンダ付けを行い、蓋部材38の平板部39と、ケース11の第４の側壁部11ｄとをハンダ45を介して接合するのが適当である（図２１）。
【００２５】
上記した本考案のノイズフィルタ10にあっては、ケース11と蓋部材38との接合は、ケース11の第３の側壁部11ｃ及び第４の側壁部11ｄに略コ字状の切込を入れて、ケース11内方側に突出させて形成した３個の係合片23と、これら３個の係合片23と対応する蓋部材の３個の係合部42とを係合させることにより行われるので、従来のノイズフィルタ70におけるリベットが不要であり、部品点数の削減を図ることができる。
また、ケース11に形成された３個の係合片23と、蓋部材38に形成された３個の係合部42とを係合させるだけでケース11と蓋部材38との接合が可能であり、従来のノイズフィルタ70の如くリベット固定作業が不要であるため、ケース11と蓋部材38との接合作業が容易である。
尚、蓋部材38の平板部39の上記凹部43形成箇所でスポットハンダ付けを行い、蓋部材38の平板部39と、ケース11の第４の側壁部11ｄとをハンダを介して接合すれば、
ケース11と蓋部材38との接合をより確実にするができると共に、電気的特性の改善効果も得られる。
すなわち、従来のノイズフィルタ70の如く、リベットを介してケース71と蓋部材90の接合を行った場合には、ケース71と蓋部材90とが単に接触しているだけであるため、接触抵抗が大きいが、本考案のように、ケース11と蓋部材38とをハンダを介して接合した場合には、接合される金属部材（ケース11、蓋部材38）とハンダとが接合面で合金を形成し、電気抵抗が非常に小さくなる。
【図面の簡単な説明】
【００２６】
【図１】本考案に係るノイズフィルタの内部構成を示す平面図である。
【図２】本考案に係るノイズフィルタを構成するケースの平面図である。
【図３】本考案に係るノイズフィルタを構成するケースの正面図である。
【図４】本考案に係るノイズフィルタを構成するケースの背面図である。
【図５】本考案に係るノイズフィルタを構成するケースの右側面図である。
【図６】本考案に係るノイズフィルタを構成するケースの左側面図である。
【図７】本考案に係るノイズフィルタを構成するケースの背面図である。
【図８】本考案に係るノイズフィルタを構成する絶縁端子板の平面図である。
【図９】本考案に係るノイズフィルタを構成する絶縁端子板の正面図である。
【図１０】本考案に係るノイズフィルタを構成する絶縁端子板の右側面図である。
【図１１】本考案に係るノイズフィルタを構成する絶縁端子板の左側面図である。
【図１２】絶縁端子板を、ケースの第２の側壁部に固定する方法を示す説明図である。
【図１３】ケースの底壁部に形成された接続片及び係合突起を示す部分断面図である。
【図１４】ケースの底壁部に形成された接続片と第１のアース端子との接続状態、ケースの底壁部に形成された係合突起とインレットソケットの鍔部との係合状態を示す説明図である。
【図１５】絶縁基板の表面に配置されたフィルタ回路を構成する電子部品を示す説明図である。
【図１６】絶縁基板の背面に配置されたフィルタ回路を構成する電子部品を示す説明図である。
【図１７】絶縁基板をケースに収納した状態を示す部分断面図である。
【図１８】本考案に係るノイズフィルタの回路図である。
【図１９】ケースの開口部を蓋部材で閉塞する方法を示す正面図である。
【図２０】ケースの開口部を蓋部材で閉塞する方法を示す背面図である。
【図２１】ケースの開口部を蓋部材で閉塞する方法を示す平面図である。
【図２２】従来のノイズフィルタの内部構成を示す平面図である。
【図２３】従来のノイズフィルタを構成するケースを示す正面図である。
【図２４】従来のノイズフィルタを構成するケースを示す背面図である。
【図２５】従来のノイズフィルタを構成するケースを示す右側面図である。
【図２６】従来のノイズフィルタを構成するケースを示す左側面図である。
【図２７】従来のノイズフィルタにおける、第１のアース端子とケース底壁部との接続状態を示す説明図である。
【図２８】従来のノイズフィルタのケースの開口部を蓋部材で閉塞する方法を示す正面図である。
【図２９】従来のノイズフィルタのケースの開口部を蓋部材で閉塞する方法を示す背面図である。
【図３０】従来のノイズフィルタのケースの開口部を蓋部材で閉塞する方法を示す右側面図である。
【符号の説明】
【００２７】
10    ノイズフィルタ
11     導電性ケース
11ａ  導電性ケースの第１の側壁部
11ｂ  導電性ケースの第２の側壁部
11ｃ  導電性ケースの第３の側壁部
11ｄ  導電性ケースの第４の側壁部
12    インレットソケット
14ａ  第１の入力端子
14ｂ  第２の入力端子
15    第１のアース端子
16    インレットソケットの本体部
17    インレットソケットの鍔部
19ａ  第１の出力端子
19ｂ  第２の出力端子
20    第２のアース端子
21    絶縁端子板
22    貫通孔
23    係合片
24    導電性ケースの底壁部
25    接続片
27    係合突起
28    コモンモードチョークコイル
C1    第１のＸコンデンサ
C2    第２のＸコンデンサ
C3    第１のＹコンデンサ
C4    第２のＹコンデンサ
Ｒ    抵抗器
29    絶縁基板
30    コモンモードチョークコイルのコア
32    コモンモードチョークコイルのコアキャップ
33    コモンモードチョークコイルの第１の銅線
34    コモンモードチョークコイルの第２の銅線
35    絶縁隔壁
38    蓋部材
41    孔
42    係合部
43    凹部
【図１】
0003125262.tif 000003
【図２】
0003125262.tif 000004
【図３】
0003125262.tif 000005
【図４】
0003125262.tif 000006
【図５】
0003125262.tif 000007
【図６】
0003125262.tif 000008
【図７】
0003125262.tif 000009
【図８】
0003125262.tif 000010
【図９】
0003125262.tif 000011
【図１０】
0003125262.tif 000012
【図１１】
0003125262.tif 000013
【図１２】
0003125262.tif 000014
【図１３】
0003125262.tif 000015
【図１４】
0003125262.tif 000016
【図１５】
0003125262.tif 000017
【図１６】
0003125262.tif 000018
【図１７】
0003125262.tif 000019
【図１８】
0003125262.tif 000020
【図１９】
0003125262.tif 000021
【図２０】
0003125262.tif 000022
【図２１】
0003125262.tif 000023
【図２２】
0003125262.tif 000024
【図２３】
0003125262.tif 000025
【図２４】
0003125262.tif 000026
【図２５】
0003125262.tif 000027
【図２６】
0003125262.tif 000028
【図２７】
0003125262.tif 000029
【図２８】
0003125262.tif 000030
【図２９】
0003125262.tif 000031
【図３０】
0003125262.tif 000032